(57)【要約】【課題】ディスポーザから排出されるスラリーを一時的に貯留する排水貯留タンクに取り付けられる水中ポンプであって、タンク内に貯留されたスラリーの撹拌を自身で行う、水中ポンプを提供する。【解決手段】排水が吸入される吸入口１５と排水が吐出される吐出口１６を備えるケーシング１３と、ケーシング１３の内部に配置されて、排水を吸入口１５から吐出口１６に向けて送出するインペラ１７と、を備えるとともに、ケーシング１３に、吸入口１５から吐出口１６に向かう排水の一部を外部に噴出させる噴出口１８が形成されている。【選択図】図２
2019052614.tif 000002
【特許請求の範囲】
【請求項１】
排水が吸入される吸入口と前記排水が吐出される吐出口を備えるケーシングと、
前記ケーシングの内部に配置されて、前記排水を前記吸入口から前記吐出口に向けて送出するインペラと、を備えるとともに、
前記ケーシングに、前記吸入口から前記吐出口に向かう前記排水の一部を外部に噴出させる噴出口が形成されている、
水中ポンプ。
【請求項２】
前記噴出口は、前記排水が水平方向に噴出されるように形成されている、
請求項１に記載の水中ポンプ。
【請求項３】
前記噴出口は、前記排水が斜め下向きに噴出されるように形成されている、
請求項１に記載の水中ポンプ。
【請求項４】
前記噴出口は、前記排水が垂直下向きに噴出されるように形成されている、
請求項１に記載の水中ポンプ。
【請求項５】
前記噴出口の開口断面積を変更する、開口断面積変更手段を備える、
請求項１から請求項４のいずれか一項に記載の水中ポンプ。
【請求項６】
複数個の前記噴出口が、前記インペラの回転軸の周りに回転対称に配置されている、
請求項１から請求項４のいずれか一項に記載の水中ポンプ。
【請求項７】
複数個の前記噴出口の一部を閉塞して、前記ケーシングにおいて開口する前記噴出口の個数を変更する、噴出口個数変更手段を備える、
請求項６に記載の水中ポンプ。
【請求項８】
タンク本体と、
前記タンク本体の内部に取り付けられた、請求項１から請求項７のいずれか一項に記載の水中ポンプと、
前記タンクの水位の水位を検出する水位センサと、
前記水位センサが前記タンクの水位が高水位にあることを検出した場合に、前記水中ポンプの運転を開始し、前記水位センサが前記タンクの水位が低水位にあることを検出した場合に、前記水中ポンプの運転を停止する制御装置と、を備える、
排水貯留タンク。
【請求項９】
シンクと、
前記シンクの下方に配置されたディスポーザと、
前記ディスポーザから排出される厨芥を含む排水を一時的に貯留する、請求項８に記載の排水貯留タンクと、を備える、
シンク台。
【発明の詳細な説明】
【技術分野】
【０００１】
本発明は、水中ポンプ、水中ポンプを備える排水貯留タンク、及び排水貯留タンクを備えるシンク台に関する。
【背景技術】
【０００２】
ディスポーザは、シンクの下方に固定されて、シンクから投入される厨芥を破砕し、水と混合して排出する装置である（特許文献１）。一般家庭においては、ディスポーザで粉砕処理された厨芥は水と混合されて、スラリーとなって、下水に排出される。一方、集合住宅や食堂などのように大量の厨芥を排出する施設では、ディスポーザから排出されたスラリーを一旦タンクに集めて、一時的に貯留して、その後、脱水機に送って、固液分離することが行われている。脱水された厨芥は、焼却あるいはコンポスト化されて処理される。スラリーを一時的に貯留するタンク内には、水中ポンプが配置されている。タンク内に貯留されたスラリーは、水中ポンプによって汲み揚げられて、脱水機に向けて圧送される（特許文献２）。
【０００３】
水中ポンプは、空気を吸い込むと動作しなくなるので、スラリーを貯留するタンクにおいては、水中ポンプが空気を吸い込まないように、タンク内の水位を一定以上に保つ必要がある。そこで、特許文献２に記載の発明においては、タンクに「上昇水位」を検出するセンサと「下降水位」を検出するセンサを備えて、タンク内の水位が「上昇水位」に達すると水中ポンプの運転を開始し、タンク内の水位が「下降水位」に達すると水中ポンプの運転を停止するようにしている。そのため、タンク内の水位は、常に「下降水位」以上に保たれるので、水中ポンプが空気を吸い込むことがない。
【０００４】
特許文献２に記載の発明においては、タンク内の水位が「下降水位」と「上昇水位」の間にある間は、水中ポンプは停止している。水中ポンプが静止している間に、タンク内のスラリーに含まれる厨芥は、タンクの下部に沈下する。そのため、タンクの下部において、スラリーの流動性が低下する。スラリーの流動性が低下すると、水中ポンプを運転しても、スラリー中の水分のみが汲み揚げられ、スラリーに含まれる厨芥は、タンクの底部に残留し、沈殿する。最終的には、水中ポンプの吸い込み口が厨芥で塞がれる。
【０００５】
この問題を解決するために、特許文献２に記載の発明においては、タンクに噴出ノズルを備えて、水中ポンプの運転を開始する前に、噴出ノズルから水を噴出させて、タンク内に貯留されたスラリーを撹拌している。噴出ノズルからの噴出水によるスラリーの撹拌を、数秒間行って、その後で、水中ポンプの運転を開始している。
【先行技術文献】
【特許文献】
【０００６】
【特許文献１】特開２０１０−１９０００７号公報
【特許文献２】特開２０１０−２０７７１６号公報
【発明の概要】
【発明が解決しようとする課題】
【０００７】
しかしながら、特許文献２に記載の発明においては、水中ポンプを起動する度に、タンク内のスラリーを撹拌するために、噴出ノズルから水を噴出させるので、水道使用量が嵩むという問題がある。また、スラリーを貯留するタンクに上水管を接続することは、いわゆるクロスコネクションに該当するので、水道法によって禁止される。そのため、上水の送水圧を利用して噴出ノズルから水を噴出させることはできない。したがって、特許文献２に記載の発明においては、上水を一旦、別のタンクに溜めて、別のタンクに溜められた水を加圧して、噴出ノズルから水を噴出させる必要がある。そのため装置が複雑で高価になると言う問題がある。
【０００８】
本発明は、このような事情に鑑みてなされたものであり、ディスポーザから排出されるスラリーを一時的に貯留する排水貯留タンクに取り付けられる水中ポンプであって、タンク内に貯留されたスラリーの撹拌を自身で行う、水中ポンプを提供するものである。また、該水中ポンプを備える排水貯留タンクを提供するものである。また、該排水貯留タンクを備えるシンク台を提供するものである。
【課題を解決するための手段】
【０００９】
上記課題を解決するために、本発明の第１の観点に係る水中ポンプは、排水が吸入される吸入口と排水が吐出される吐出口を備えるケーシングと、ケーシングの内部に配置されて、排水を吸入口から吐出口に向けて送出するインペラと、を備えるとともに、ケーシングに、吸入口から吐出口に向かう排水の一部を外部に噴出させる噴出口が形成されているものである。
【００１０】
噴出口は、排水が水平方向に噴出されるように形成されていても良いし、排水が斜め下向きに噴出されるように形成されていても、排水が垂直下向きに噴出されるように形成されていても良い。
【００１１】
噴出口の開口断面積を変更する、開口断面積変更手段を備えるようにしても良い。
【００１２】
複数個の噴出口が、インペラの回転軸の周りに回転対称に配置されるようにしても良い。
【００１３】
複数個の噴出口の一部を閉塞して、ケーシングにおいて開口する噴出口の個数を変更する、噴出口個数変更手段を備えるようにしても良い。
【００１４】
本発明の第２の観点に係る排水貯留タンクは、タンク本体と、タンク本体の内部に取り付けられた、前記のいずれかの水中ポンプと、タンクの水位を検出する水位センサと、水位センサがタンクの水位が高水位にあることを検出した場合に、水中ポンプの運転を開始し、水位センサがタンクの水位が低水位にあることを検出した場合に、水中ポンプの運転を停止する制御装置と、を備えるものである。
【００１５】
本発明の第３の観点に係るシンク台は、シンクと、シンクの下方に配置されたディスポーザと、ディスポーザから排出される厨芥を含む排水を一時的に貯留する、前記の排水貯留タンクと、を備えるものである。  
【発明の効果】
【００１６】
本発明によれば、水中ポンプのケーシングに、吸入口から吐出口に向かう排水の一部を外部に噴出させる噴出口が形成されているので、噴出口から排水を噴出させて、水中ポンプが設置されたタンク内の排水を攪拌することができる。そのため、ディスポーザから排出されるスラリーを一時的に貯留するタンクに、本発明に係る水中ポンプを備えれば、タンク内のスラリーを攪拌する装置を別途設置する必要が無くなる。その結果、タンクの構造を簡易化することができる。また、タンク内のスラリーを攪拌する水を外部から供給する必要がないので、水の使用量を節減できる。
【図面の簡単な説明】
【００１７】
【図１】本発明の実施形態に係るシンク台の構成図である。
【図２】図１に記載のシンク台の排水貯留タンクの内部に配置される水中ポンプの構成を示す図であって、（Ａ）は水中ポンプを正面から見る外形図であり、（Ｂ）は（Ａ）に準じる外形図であって、一部を断面図示するものである。
【図３】図２に記載の水中ポンプのケーシングの変形例を示す構造図であって、（Ａ）と（Ｂ）はケーシングの縦断面図であり、（Ｃ）はケーシングを図２（Ｂ）においてＡ−Ａ’線で示す平面で切断してなる水平断面図である。
【図４】図２（Ｂ）に記載の水中ポンプのケーシングの変形例を示す構成図であって、（Ａ）は制水栓を後退させた状態を、（Ｂ）は制水栓を前進させた状態を、それぞれ示す図である。
【図５】図３（Ｃ）に記載の水中ポンプのケーシングの変形例を示す構成図であって、図３（Ｃ）に準じる水平断面図である。（Ａ）、（Ｂ）、（Ｃ）及び（Ｄ）は、噴出口を４個、３個、２個及び１個開放した状態を、それぞれ示す図である。
【発明を実施するための形態】
【００１８】
以下、本発明を実施するための形態を、図面を参照しながら説明する。
【００１９】
（全体構成）
図１は、本発明の実施形態に係るシンク台１の構成図である。シンク台１は、キャビネット２の上部にシンク３を固定して構成されている。シンク３の下方にはディスポーザ４が固定されている。キャビネット２の内部には、排水貯留タンク５が配置されている。排水貯留タンク５の内部には水中ポンプ６が配置され、排水貯留タンク５の上部には圧力スイッチ７が配置されている。キャビネット２の上部には制御装置８が配置されている。
【００２０】
キャビネット２は、図示しない厨房の床に固定されて、シンク３を支持する筐体である。シンク３は、食材や食器の洗浄を行う水槽である。また、シンク台１は、食材や食器の洗浄に使用する上水を供給する、図示しない水栓金具を備えている。水栓金具から供給されて、食材や食器の洗浄に使用された上水は、シンク３に落とされて、シンク３からディスポーザ４に落とされる。
【００２１】
ディスポーザ４は、食材の下処理の過程で生じた残材や、食卓から下げられた食器に残っていた残飯、つまり厨芥を粉砕し、粉砕された厨芥を水と混合してスラリーを生成する装置である。ディスポーザ４で生成されたスラリーは、排水管９を通って、排水貯留タンク５に排出される。
【００２２】
排水貯留タンク５はディスポーザ４から排出されたスラリーを一時的に貯留するタンクである。排水貯留タンク５に貯留されたスラリーは水中ポンプ６によって汲み揚げられて、送水管１０を通って、脱水機１１に送出される。脱水機１１はスラリーから水分を除去する装置である。脱水機１１においてスラリーから除去された水分は、図示しない管路を通って下水道に排出される。脱水機１１に残った厨芥は別の場所に移送されて、例えば焼却され、あるいは堆肥の原料とされる。
【００２３】
圧力スイッチ７は、排水貯留タンク５内に差し込まれたパイプ１２の内部の空気の圧力によって動作するスイッチである。パイプ１２は下端が開放され、上端が圧力スイッチ７によって気密に閉塞されていて、内部に空気が溜められている。そのため、排水貯留タンク５内の水位が高くなると空気の圧力は上昇し、水位が低くなると空気の圧力は低下する。圧力スイッチ７は、事前に設定された圧力で動作する。このように、圧力スイッチ７は排水貯留タンク５内の水位の高さを検出するセンサとして機能する。また、水中ポンプ６と圧力スイッチ７は制御装置８に接続されている。圧力スイッチ７は、排水貯留タンク５内の水位が高水位Ｈｗｌを超えるとＯＮになり、排水貯留タンク５内の水位が低水位Ｌｗｌを下回るとＯＦＦになるように設定されている。また、制御装置８は、圧力スイッチ７がＯＦＦからＯＮに転じた時に水中ポンプ６を起動し、圧力スイッチ７がＯＮからＯＦＦに転じた時に水中ポンプ６を停止させるように構成されている。
【００２４】
図２（Ａ）は、排水貯留タンク５内に配置される水中ポンプ６の外形を示す正面図であり、図２（Ｂ）は、水中ポンプ６の一部を断面図示する正面図である。図２（Ａ）に示すように、水中ポンプ６はケーシング１３の上に電動機１４を載置して構成されている。また、ケーシング１３には送水管１０が接続されている。図２（Ｂ）に示すように、ケーシング１３の底面には吸入口１５が、上面には吐出口１６が、それぞれ形成されている。水中ポンプ６のケーシング１３の内部には、電動機１４によって回転駆動されるインペラ１７が配置されている。インペラ１７は、排水貯留タンク５に貯留されたスラリーを吸入口１５から吸入して、吐出口１６に向けて送出する羽根車である。インペラ１７が回転すると、水中ポンプ６の圧送対象であるスラリーは吸入口１５を通って、ケーシング１３の内部に流入し、吐出口１６を通って、送水管１０に送出される。
【００２５】
また、図２（Ｂ）に示すように、ケーシング１３の側壁には、噴出口１８が穿設されている。そのため、吸入口１５を通って、ケーシング１３の内部に吸い込まれたスラリーの一部は、噴出口１８を通って、ケーシング１３の外部に噴出する。なお、噴出口１８を水平方向に穿設されていて、噴流は水平方向に生じる。
【００２６】
このように、水中ポンプ６のケーシング１３には噴出口１８が穿設されているので、水中ポンプ６が起動されると、排水貯留タンク５内に貯留されているスラリーは、噴出口１８から噴出する噴流によって攪拌される。そのため、水中ポンプ６の停止中に、排水貯留タンク５の下部に沈下した厨芥は、排水貯留タンク５内に貯留されたスラリーの全体に拡散する。その結果、スラリーの流動性が回復する。
【００２７】
（変形例）
上記実施形態においては、水平方向に噴流が生じるように、噴出口１８を水平方向に穿設した例を示したが、噴出口１８は水平方向に穿設したものには限定されない。図３（Ａ）に示すように、噴出口１８を斜め下方向に穿設して、斜め下向きに噴流が生じるようにしても良い。あるいは、図３（Ｂ）に示すように、噴出口１８を垂直下向きに穿設して、垂直下向きに噴流が生じるようにしても良い。また、ケーシング１３に複数個の噴出口１８が穿設されていても良い。図３（Ｃ）に示すように、４個の噴出口１８が、回転対称に配置されていても良い。なお、図３（Ｃ）は、水中ポンプ６のケーシング１３を、図２（Ａ）において、Ａ−Ａ’線で示す平面で切断して示す平断面図である。
【００２８】
噴出口１８から噴出される噴流の流量や流速の最適値は、ディスポーザ４で処理される厨芥の種類や、ディスポーザ４の運転頻度によって変化する。野菜屑のような比較的に軽い厨芥は沈殿しにくく、沈殿しても、少量又は低速の噴流によって、容易に拡散する。一方、魚骨のような比較的に重い厨芥は沈殿しやすく、沈殿した厨芥を拡散するのに、大量または高速の噴流を必要とする。ディスポーザ４の運転頻度が高ければ、水中ポンプ６が停止する時間が短いので、厨芥の沈殿も少なくなる。そのため、ディスポーザ４の運転頻度が高ければ、噴流の流量や流速は小さくてもよい。また、噴出口１８から噴出される噴流は、本来ならば、吐出口１６を通って送水管１０に送出されるスラリーの一部を排水貯留タンク５に戻すことによって生じるものである。そのため、噴出口１８から噴出される噴流の流量や流速を必要以上に大きくすると、水中ポンプ６の効率が低下する。つまり、水中ポンプ６が大きな電力を消費するようになる。そこで、噴出口１８から噴出される噴流の流量や流速を調整する手段を、水中ポンプ６に備えれば、ディスポーザ４で処理される厨芥の種類や、ディスポーザ４の運転頻度に応じて、噴出口１８から噴出される噴流の流量や流速を最適化して、水中ポンプ６の効率を改善することができる。
【００２９】
例えば、図４（Ａ），（Ｂ）に示すように、水中ポンプ６に、噴出口１８に対して進退する調整栓１９を備えれば、必要に応じて、噴出口１８から噴出される噴流の流量や流速を変更して、最適化することができる。調整栓１９は、シャフト１９ａの先端に栓体１９ｂを備え、シャフト１９ａの反対側の先端にグリップ１９ｃを備えている。シャフト１９ａは排水貯留タンク５の外板を貫通する支持管５ａに挿通される。そして、栓体１９ｂは排水貯留タンク５の内部に配置され、グリップ１９ｃは排水貯留タンク５の外部に配置されている。支持管５ａには図示しない雌ねじが切られていて、該雌ねじはシャフト１９ａに形成された図示しない雄ねじと螺合している。そのため、作業者がグリップ１９ｃを握ってシャフト１９ａを回転させると、調整栓１９は噴出口１８に対して進退する。また、栓体１９ｂは円錐台形の外形を有していて、栓体１９ｂの先端の外径は噴出口１８の内径よりも小さく、栓体１９ｂの基部の外径は噴出口１８の内径よりも大きくされている。また、排水貯留タンク５の内部側の支持管５ａの先端にはシール材５ｂが装着されていて、支持管５ａとシャフト１９ａの間の隙間からの水漏れを防いでいる。
【００３０】
図４（Ａ）に示すように、栓体１９ｂを噴出口１８の外に引き出せば、噴出口１８の開口断面積の全体がスラリーの流路として機能するので、スラリーの噴出速度と噴出量が最大になる。図４（Ｂ）に示すように、調整栓１９を噴出口１８に向けて前進させて、栓体１９ｂを噴出口１８の中に差し込むと、噴出口１８の開口断面積のうちスラリーの流路として機能する部分が減少するので、スラリーの噴出速度と噴出量が低下する。つまり、噴出口１８の開口断面積が実質的に減少するので、スラリーの噴出速度と噴出量が低下する。このように、調整栓１９は、噴出口１８の開口断面積を変更する、開口断面積変更手段として機能する。水中ポンプ６は開口断面積変更手段を備えるので、必要に応じて、噴出口１８から噴出される噴流の流量や流速を変更して、最適化することができる。
【００３１】
噴出口１８から噴出するスラリーを噴出速度や噴出量を変更する手段は、調整栓１９のような開口断面積変更手段には限定されない。図５（Ａ）〜（Ｄ）に示すように、ケーシング１３に複数個の噴出口１８を備える場合に、ケーシング１３の内側に調整リング２０を備えるようにしても良い。
【００３２】
図５（Ａ）に示すように、ケーシング１３には、４個の噴出口１８Ａ〜１８Ｄが、図示しないインペラ１７の回転中心Ｃの周りに回転対称に配置されている。調整リング２０は、ケーシング１３の内面に接触するリング状の部材であって、回転中心Ｃの回りに回転させて、図示しないビスによって、任意の回転角度でケーシング１３に固定される。また、ケーシング１３には、合計１０個の調整開口孔２１Ａ１〜２１Ａ４，２１Ｂ１〜２１Ｂ３，２１Ｃ１〜２１Ｃ２，２１Ｄ１が穿設されている。調整開口孔２１Ａ１〜２１Ｄ１は、ケーシング１３を貫通する孔であって、噴出口１８Ａ〜１８Ｄと同一の断面積を有している。
【００３３】
調整リング２０が、図５（Ａ）に示す位置に固定されている時、噴出口１８Ａには調整開口孔２１Ａ１が重なり、噴出口１８Ｂには調整開口孔２１Ｂ１が重なり、噴出口１８Ｃには調整開口孔２１Ｃ１が重なり、噴出口１８Ｄには調整開口孔２１Ｄ１が重なる。そのため、ケーシング１３内のスラリーは、調整開口孔２１Ａ１と噴出口１８Ａ、調整開口孔２１Ｂ１と噴出口１８Ｂ、調整開口孔２１Ｃ１と噴出口１８Ｃ、調整開口孔２１Ｄ１と噴出口１８Ｄを、それぞれ通って外部に噴出する。つまり、この時、４個の噴出口１８Ａ〜１８Ｄが開放されている。
【００３４】
調整リング２０を回転中心Ｃの回りに回転させて、図５（Ｂ）に示す位置に固定されている時、噴出口１８Ａには調整開口孔２１Ａ２が重なり、噴出口１８Ｂには調整開口孔２１Ｂ２が重なり、噴出口１８Ｃには調整開口孔２１Ｃ２が重なり、噴出口１８Ｄは調整リング２０によって塞がれる。そのため、ケーシング１３内のスラリーは、調整開口孔２１Ａ２と噴出口１８Ａ、調整開口孔２１Ｂ２と噴出口１８Ｂ、調整開口孔２１Ｃ２と噴出口１８Ｃを、それぞれ通って外部に噴出する。噴出口１８Ｄは塞がっているので、噴出口１８Ｄからは、スラリーは噴出しない。つまり、この時、３個の噴出口１８Ａ〜１８Ｃが開放されている。
【００３５】
調整リング２０を回転中心Ｃの回りに更に回転させて、図５（Ｃ）に示す位置に固定されている時、噴出口１８Ａには調整開口孔２１Ａ３が重なり、噴出口１８Ｂには調整開口孔２１Ｂ３が重なり、噴出口１８Ｃと噴出口１８Ｄは調整リング２０によって塞がれる。そのため、ケーシング１３内のスラリーは、調整開口孔２１Ａ３と噴出口１８Ａ、調整開口孔２１Ｂ３と噴出口１８Ｂを、それぞれ通って外部に噴出する。噴出口１８Ｃと噴出口１８Ｂは塞がっているので、噴出口１８Ｃと噴出口１８Ｄからは、スラリーは噴出しない。つまり、この時、２個の噴出口１８Ａ，１８Ｂが開放されている。
【００３６】
調整リング２０を回転中心Ｃの回りに更に回転させて、図５（Ｄ）に示す位置に固定されている時、噴出口１８Ａには調整開口孔２１Ａ４が重なり、噴出口１８Ｂと噴出口１８Ｃと噴出口１８Ｄは調整リング２０によって塞がれる。そのため、ケーシング１３内のスラリーは、調整開口孔２１Ａ４と噴出口１８Ａを通って外部に噴出する。噴出口１８Ｂと噴出口１８Ｃと噴出口１８Ｄは塞がっているので、噴出口１８Ｂと噴出口１８Ｃと噴出口１８Ｄからは、スラリーは噴出しない。つまり、この時、噴出口１８Ａだけが開放されている。
【００３７】
このように、調整リング２０は、ケーシング１３が備える複数個の噴出口１８の一部を閉塞して、ケーシング１３において開口する噴出口１８の個数を変更する、噴出口個数変更手段として機能する。図５（Ａ）〜（Ｄ）に示した水中ポンプ６は、噴出口個数変更手段を備えて、ケーシング１３において開口する噴出口１８の個数を変更できる。ケーシング１３において開口する噴出口１８の個数を変更することによって、必要に応じて、噴出口１８から噴出される噴流の流量や流速を変更して、最適化することができる。
【００３８】
以上、説明したように、上記実施形態及び変形例によれば、水中ポンプ６のケーシング１３に噴出口１８を備えるので、吸入口１５から吸入されるスラリーの一部を噴出口１８から噴出させて噴流を発生させることができる。噴出口１８から噴出される噴流によって、排水貯留タンク５の下部に沈殿した厨芥が、排水貯留タンク５内に貯留されたスラリーの全体に拡散するので、排水貯留タンク５の下部においてスラリーの流動性が回復する。その結果、水中ポンプ６においてスラリーの詰まりが生じにくくなる。
【００３９】
排水貯留タンク５の下部に沈殿した厨芥を拡散するため、排水貯留タンク５の外部から水を導入する必要がないので、上水の使用量を節約することができる。
【００４０】
変形例に示したように、水中ポンプ６に調整栓１９あるいは調整リング２０を備えれば、必要に応じて、噴出口１８から噴出される噴流の流量や流速を変更して、最適化することができる。その結果、水中ポンプ６の効率が改善される。
【００４１】
なお、上記の実施形態は、本発明の具体的実施態様の一例を示すものであって、本発明の技術的範囲を画すものではない。本発明は特許請求の範囲に記述された技術的思想の限りにおいて、自由に変形、応用あるいは改良して実施することができる。
【００４２】
図１〜図５に記載の水中ポンプ６は、本発明の具体的実施態様の一例を示すものであって、本発明の技術的範囲は図１〜図５に記載の水中ポンプ６によっては限定されない。特にケーシング１３とインペラ１７の形状は例示にすぎない。また、図２（Ｂ）〜図３（Ｃ）に示した噴出口１８の配置と個数は例示であって、本発明に係る水中ポンプの技術的範囲は図２（Ｂ）〜図３（Ｃ）に示した噴出口１８の配置と個数によっては、限定されない。
【００４３】
図４（Ａ），（Ｂ）に示した調整栓１９は、開口断面積変更手段の例示であって、本発明に係る水中ポンプの技術的範囲は、図４（Ａ），（Ｂ）によっては、限定されない。開口断面積変更手段は噴出口１８の流路の断面積を変更できれば、十分であり、構造や形式は限定されない。
【００４４】
図５（Ａ）〜（Ｄ）に示した調整リング２０は、噴出口個数変更手段の例示であって、本発明に係る水中ポンプの技術的範囲は、図５（Ａ）〜（Ｄ）によっては、限定されない。調整リング２０はケーシング１３の外側に取り付けられても良い。あるいは、噴出口１８Ａ〜１８Ｄを、それぞれ個別に閉塞する蓋部材を備えて、蓋部材を着脱することによって、開放状態にある噴出口１８Ａ〜１８Ｄの個数を変更するようにしても良い。
【００４５】
図１に示した排水貯留タンク５は、本発明の具体的実施態様の一例を示すものであって、本発明に係る排水貯留タンクの技術的範囲は図１によっては限定されない。排水貯留タンク５が備える水位センサの具体例として、パイプ１２の空気の圧力で作動する圧力スイッチ７を例示したが、水位センサは空気の圧力で作動するものには限定されない。排水貯留タンク５の底面における液圧を直接計測して、水位の高低を検出するようにしても良い。水位センサは、フロートを備えて、フロートの高さをリミットスイッチで検出する機械式のセンサであっても良い。あるいは、電波や超音波を利用するセンサや、液中に置かれたセンサの静電容量の変化を検出するセンサを、水位センサとしても良い。要するに、水位センサの構造や検出原理は限定されない。様々な形式のセンサを任意に選択して、排水貯留タンク５に備えることができる。
【００４６】
図１に示したシンク台１は、本発明の具体的実施態様の一例を示すものであって、本発明の技術的範囲は図１に示したシンク台１によっては限定されない。また、図１に示した脱水機１１は、シンク台１から送出されたスラリーを処理する処理装置を例示であって、本発明に係るシンク台の技術的範囲は、スラリーが脱水機１１に送出されるものには限定されない。
【産業上の利用可能性】
【００４７】
本発明は、水中ポンプ、水中ポンプを備える排水貯留タンクあるいは水中ポンプと排水貯留タンクを備えるシンク台に好適に利用することができる。
【符号の説明】
【００４８】
１  シンク台
２  キャビネット
３  シンク
４  ディスポーザ
５  排水貯留タンク
５ａ  支持管
５ｂ  シール材
６  水中ポンプ
７  圧力スイッチ
８  制御装置
９  排水管
１０  送水管
１１  脱水機
１２  パイプ
１３  ケーシング
１４  電動機
１５  吸入口
１６  吐出口
１７  インペラ
１８，１８Ａ〜１８Ｄ  噴出口
１９  調整栓
１９ａ  シャフト
１９ｂ  栓体
１９ｃ  グリップ
２０  調整リング
２１Ａ１〜２１Ｄ１  調整開口孔
【図１】
2019052614.tif 000003
【図２】
2019052614.tif 000004
【図３】
2019052614.tif 000005
【図４】
2019052614.tif 000006
【図５】
2019052614.tif 000007